(57)【要約】【課題】本発明は、ゲーム機のコイン投入口に簡単に取り付けて、連続的に落下させることができる着脱自在のゲーム機のコイン投入クリップを提供することを目的とする。【解決手段】本発明のゲーム機のコイン投入クリップは、平面形状が扇形平面をなし、該扇形平面から一体に立ち上げた左右の側壁を設け、該側壁に係止突起を形成すると共に、前記扇形平面の下方へ向かう誘導舌片を一体に形成した扇形受皿と、一方のクリップ板に支承板を設け、他方のクリップ板に係止板を設け、両クリップ板の支承板及び係止板を連結すると共につる巻きバネを巻き付けて前記両クリップ板先端同士を開閉自在に弾機し、さらに他方のクリップ板に取付穴を備えた取付板を設けて該取付板の取付穴に前記扇形受皿の係止突起を係止するクリップ本体とからなるものである。【選択図】　図２
2004049502.tif 000002
【特許請求の範囲】
【請求項１】
平面形状が扇形平面をなし、該扇形平面の幅広部分と幅狭部分とを結ぶ直線端縁部から一体に立ち上げた左右の側壁を設け、該側壁の幅狭部分側に外方へ突出する左右の係止突起を形成すると共に、前記扇形平面の幅狭部分を前方に延長して下方へ向かう誘導舌片を一体に形成した扇形受皿と、一方のクリップ板の中央両端に支点軸を支承する支承板を設け、他方のクリップ板の中央両端に前記支点軸に嵌合させる孔を備えた係止板を設け、両クリップ板の支承板及び係止板を前記支点軸により連結すると共に前記支点軸につる巻きバネを巻き付けて前記両クリップ板先端同士を開閉自在に弾機し、さらに他方のクリップ板の中央反対側両端に上下の取付穴を備えた取付板を設けて該取付板の取付穴に前記扇形受皿の係止突起を係止するクリップ本体とからなることを特徴とするゲーム機のコイン投入クリップ。
【発明の詳細な説明】
【０００１】
【発明の属する技術分野】
本発明は、スロットマシン、麻雀ゲーム機、ポーカーゲーム機等のゲーム機のコイン投入口にコイン、メダル等を投入し易くするゲーム機のコイン投入クリップに関する。
【０００２】
【従来の技術】
従来、コイン、メダル等を使用するスロットマシン、麻雀ゲーム機、ポーカーゲーム機等のゲーム機のコイン投入口は、一枚ずつコイン又はメダルを投入するためにコイン又はメダルの直径、厚さの細長方形のコイン投入開口が形成されている。
そして、このコイン投入開口の前方、すなわち遊技者の手前側にはコイン又はメダルの円弧に一致する案内凹部が形成され、コイン又はメダルを立てた状態で前記案内凹部に沿ってコイン又はメダルをスライドさせて投入し易くすると共に、コイン投入開口の後方、すなわち遊技者の奥手側にはコイン又はメダルを押し当てて落下させる投入ガイドとなる背面板が形成されている。
ところが、１回のゲームに複数枚のコイン又はメダルを使用する時には、親指と人差し指で複数枚のコイン又はメダルを掴み、前記案内凹部に沿ってコイン又はメダルを立てた状態で投入開口へスライドさせて順次１枚ずつ落下させるが、コイン又はメダルが倒れないように親指等で支えていなければならないため、面倒であった。
したがって、遊技者がコイン又はメダルを親指等で支えることなく、複数枚のコイン又はメダルを投入開口に連続的に落下させることができるコイン投入クリップが望まれていた。
【０００３】
【発明が解決しようとする課題】
そこで、本発明は、既存のスロットマシン、麻雀ゲーム機、ポーカーゲーム機等のゲーム機のコイン投入口に簡単に取り付けて、複数枚のコイン又はメダルを投入開口に連続的に落下させることができる着脱自在のゲーム機のコイン投入クリップを提供することを目的とする。
【０００４】
【課題を解決するための手段】
そのために、本発明のゲーム機のコイン投入クリップは、平面形状が扇形平面をなし、該扇形平面の幅広部分と幅狭部分とを結ぶ直線端縁部から一体に立ち上げた左右の側壁を設け、該側壁の幅狭部分側に外方へ突出する左右の係止突起を形成すると共に、前記扇形平面の幅狭部分を前方に延長して下方へ向かう誘導舌片を一体に形成した扇形受皿と、一方のクリップ板の中央両端に支点軸を支承する支承板を設け、他方のクリップ板の中央両端に前記支点軸に嵌合させる孔を備えた係止板を設け、両クリップ板の支承板及び係止板を前記支点軸により連結すると共に前記支点軸につる巻きバネを巻き付けて前記両クリップ板先端同士を開閉自在に弾機し、さらに他方のクリップ板の中央反対側両端に上下の取付穴を備えた取付板を設けて該取付板の取付穴に前記扇形受皿の係止突起を係止するクリップ本体とからなるものである。
【０００５】
【実施例】
以下、本発明の一実施例を図面に基づいて説明する。
本発明のゲーム機のコイン投入クリップは、図１に示すように、平面形状が扇形平面１をなし、該扇形平面１の幅広部分と幅狭部分とを結ぶ直線端縁部から一体に立ち上げた左右の側壁２を設け、該側壁２の幅狭部分側に外方へ突出する左右の係止突起３を形成すると共に、前記扇形平面１の幅狭部分を前方に延長して下方へ向かう誘導舌片４を一体に形成した扇形受皿５と、図２に示すように、一方のクリップ板６の中央両端に支点軸７を支承する支承板８を設け、他方のクリップ板６の中央両端に前記支点軸７に嵌合させる孔（図示せず）を備えた係止板９を設け、両クリップ板６の支承板８及び係止板９を前記支点軸７により連結すると共に前記支点軸７につる巻きバネ１０を巻き付けて前記両クリップ板６先端同士を開閉自在に弾機し、さらに他方のクリップ板６の中央反対側両端に上下の取付穴１８を備えた取付板１１を設けて該取付板１１の取付穴１８に前記扇形受皿５の係止突起３を係止するクリップ本体１２とからなる。
【０００６】
前記扇形受皿５は、プラスチック材料により一体成形され、平面形状が扇形平面１をなし、図２に示すように、扇形平面１の幅広部分と幅狭部分とを結ぶ直線端縁部から一体に立ち上げた左右の側壁２は、幅狭部分側へ向かう程高さを増し、扇形受皿５が傾斜姿勢状態で側壁２端縁が垂直部となるように形成され、該垂直部近傍の側壁２に外方に向かって突出する係止突起３を形成し、さらに係止突起３の下方には前記側壁２をクリップ板６側へ突き出したストッパー片１３を形成する。
また、前記扇形平面１には、扇形縁部分を下方に折り曲げて丸みを付けた折返し部１４を設け、さらに扇形平面１には幅広部分から幅狭部分へ向かう複数の凸条部（図示せず）を形成し、コイン又はメダルの摩擦抵抗を低減するように構成する。
なお、前記扇形受皿５は、平面形状が扇形に限らず、コイン又はメダルを誘導することができる形状であればよく、例えば三角形状であっても良い。
【０００７】
前記クリップ本体１２は、図２に示すように、２枚の金属製のクリップ板６からなり、支点軸７に巻かれたつる巻きバネ１０により常時拡開されている側、すなわち上方を指先による摘み部１５とし、先端の常時閉鎖される側、すなわち下方を挟み部１６とする。
なお、前記挟み部１６の内側には摩擦係数の大きい材料、例えばゴムパッド（図示せず）などを貼り付けて、コイン投入口の背面板を挟んだ時に挟み部１６が滑らないように構成する。
そして、前記扇形受皿５が取り付けられるクリップ板６の取付板１１内側には、ネジ調節可能なストッパー１７が扇形受皿５方向に向かって突出されており、扇形受皿５の側壁２に形成されたストッパー片１３に前記ストッパー１７の頭部が係合する如く構成されている。
したがって、前記係止突起３を支点にして揺動自在な扇形受け皿５は、前記ストッパー１７の突出度合いをネジ調整することによりストッパー片１３とストッパー１７との係合によって扇形受皿５の傾斜角度を変更することができる。
また、プラスチック材料で形成されている側壁２の係止突起３近傍を内側に押し込むことにより取付板１１の係止穴１８から係止突起３が外れるので、取付板１１の係止穴１８の位置を上又は下に変えて係止突起３を係合することにより誘導舌片４とクリップ板６とのコイン又はメダルの通過間隔を変えることができる。
【０００８】
次に、本発明のゲーム機のコイン投入クリップの使用操作について、図３に基づいて説明する。
ゲーム機のスロットマシンの一例であるパチスロ機のメダル投入口は、機台の正面の右側にメダル投入口が形成され、該メダル投入口取付孔（図示せず）に固定脚部１９が挿入固定され、機台上面のメダル投入口にはメダルをスライド案内する凹状の案内凹部２０と、メダル投入開口にメダルを落下案内する背面板２１とが備えられている。
一方、機台正面左側には、スロットル絵柄を回転させる回転レバー等が備えられている。
ゲームを開始するに際し、メダル投入口の背面板２１にクリップ本体１２を挟み固定し、すなわち、つる巻きバネ１０により拡開されている摘み部１５を人差し指と親指で押圧して閉鎖されている挟み部１６を拡開させ、背面板２１に上方から挟み部１６を差し込み、人差し指及び親指を放すことによりつる巻きバネ１０の作用によってクリップ本体１２が背面板２１に固定される。
このクリップ本体１２の背面板２１の固定に際しては、扇形受皿５が遊技者の側に来るように、クリップ板６の向きを調整すると共に、ストッパー１７を調節して誘導舌片４とクリップ板６とのメダルの通過間隔を変える。
このようにして、メダル投入口に取り付けられたコイン投入クリップは、扇形受皿５がストッパー片１３とストッパー１７により適宜傾斜状に支持される。
そして、パチスロ機は通常１回にメダルを３枚使用するので、纏めて３枚や１枚ずつ合計３枚のメダルを扇形受皿５に載せると、各メダルは扇形受皿５の傾斜に沿って１枚ずつ誘導舌片４側へ滑落して誘導舌片４に沿ってメダル投入開口２２へ落下する。
したがって、単に３枚のメダルを扇形受皿５に載せるだけで１枚ずつメダルを投入することができるので、メダルを床に落とすこともなくしかも楽に投入できる。
ゲームを終了した時には、摘み部１５を人差し指と親指で押圧して閉鎖されている挟み部１６を拡開させ、背面板２１からクリップ本体１２を抜き取るだけで簡単に取り外すことが出来る。
【０００９】
【効果】
以上述べた如く、本発明のゲーム機のコイン投入クリップによれば、既存のスロットマシン、麻雀ゲーム機、ポーカーゲーム機等のゲーム機のコイン投入口に簡単に取り付けて、複数枚のコイン又はメダルを投入開口に連続的に落下させることができる。
【図面の簡単な説明】
【図１】本発明のゲーム機のコイン投入クリップの平面図である。
【図２】本発明のゲーム機のコイン投入クリップの側面図である。
【図３】本発明のゲーム機のコイン投入クリップをメダル投入口に装着した状態の側面図である。
【符号の説明】
１　扇形平面
２　側壁
３　係止突起
４　誘導舌片
５　扇形受皿
６　クリップ板
７　支点軸
８　支承板
９　係止板
１０　つる巻きバネ
１１　取付板
１２　クリップ本体
１３　ストッパー片
１４　折返し部
１５　摘み部
１６　挟み部
１７　ストッパー
１８　係止穴
１９　固定脚部
２０　案内凹部
２１　背面板
２２　投入開口
【図１】
2004049502.tif 000003
【図２】
2004049502.tif 000004
【図３】
2004049502.tif 000005